(57)【要約】  【課題】  高速ダビング中の情報（例えば、録画された番組）の再生指示を受け付け、受け付けた再生指示に基づいて、前記情報を再生することにより、高速ダビング中であっても、高速ダビング中の番組を再生することができる記録再生装置及び記録再生方法を提供する。  【解決手段】  録画した番組をＨＤＤ８からＤＶＤへ高速ダビング中に、再生要求を受け付けた場合、ＣＰＵ１４は、再生要求があった時点における高速ダビング中の映像音声ストリームを構成するパケットのタイムスタンプに基づいて、再生開始位置を特定する。ＣＰＵ１４は、特定した再生開始位置を含むファイルを映像音声ストリームとしてＨＤＤ８から読み出し、読み出した映像音声ストリームをデコーダ１１でデコードし、映像ＤＡＣ１２、音声ＤＡＣ１３を介して復号化された映像音声信号をモニタへ出力する。【選択図】      図１
2007018599.tif 000002
【特許請求の範囲】
【請求項１】
ランダムアクセス可能な一の記録媒体に記録された情報を他の記録媒体へ高速ダビングする手段と、前記一の記録媒体に記録された情報を再生する再生手段とを備える記録再生装置において、
高速ダビング中の情報の再生指示を受け付ける受付手段を備え、
前記再生手段は、
前記受付手段で受け付けた再生指示に基づいて、前記高速ダビング中の情報を再生するようにしてあることを特徴とする記録再生装置。
【請求項２】
前記再生指示を受け付けた場合、高速ダビング中の情報の再生箇所を特定する特定手段と、
特定された再生箇所を含む情報を前記一の記録媒体から読み出す手段と
を備え、
前記再生手段は、
読み出された情報を再生するようにしてあることを特徴とする請求項１に記載の記録再生装置。
【請求項３】
前記特定手段は、
前記情報の最初を再生箇所として特定するようにしてあることを特徴とする請求項２に記載の記録再生装置。
【請求項４】
前記特定手段は、
前記再生指示を受け付けた時点で前記情報の高速ダビング中の箇所を再生箇所として特定するようにしてあることを特徴とする請求項２に記載の記録再生装置。
【請求項５】
前記再生手段は、
第１の時間の経過の都度第２の時間の間に高速ダビングされる情報を繰り返し再生するようにしてあることを特徴とする請求項１乃至請求項４のいずれか１つに記載の記録再生装置。
【請求項６】
前記一の記録媒体に記録された情報を静止画像で出力する手段を備え、
前記再生指示に基づいて、静止画像を出力するようにしてあることを特徴とする請求項１乃至請求項４のいずれか１つに記載の記録再生装置。
【請求項７】
第３の時間の間隔で出力した複数の静止画像を配置した配置画像を出力する手段を備えることを特徴とする請求項６に記載の記録再生装置。
【請求項８】
ランダムアクセス可能な一の記録媒体に記録された情報を他の記録媒体へ高速ダビング中に前記情報を再生する記録再生方法であって、
高速ダビング中の情報の再生指示を受け付けるステップと、
該再生指示に基づいて、前記情報を再生するステップと
を備えることを特徴とする記録再生方法。
【発明の詳細な説明】
【技術分野】
【０００１】
本発明は、ランダムアクセス可能な一の記録媒体に記録された情報を他の記録媒体へ高速ダビング中に前記情報を再生する記録再生装置及び記録再生方法に関する。
【背景技術】
【０００２】
地上アナログ放送の停波時期に向かって、地上デジタル放送の放送エリアが徐々に拡大される中、ＡＶ機器のデジタル化が急速に進展している。例えば、近年の技術進展により、ハード・ディスク・ドライブの記憶密度は増加し、映像・音声などの大容量の情報を記憶する記憶装置として、ビデオレコーダなどのＡＶ機器にハード・ディスク・ドライブを内蔵するようになってきている。
【０００３】
一方で、ビデオテープに代わる記録メディアとして、ＤＶＤディスクが普及してきており、ハード・ディスク・ドライブ一体型ＤＶＤレコーダも製品化され、テレビジョン放送番組をハード・ディスク・ドライブに長時間録画するとともに、録画した番組をＤＶＤディスクにダビングして保存することが手軽にできるようになった。
【０００４】
録画した番組をＤＶＤディスクなどにダビング（録画した番組の複写）する場合、録画した番組（タイトル）を複数のチャプタに分割して不要な場面を部分消去する編集機能、録画した番組を１枚のＤＶＤディスクの記憶容量内に収まるように画質変換するレート変換機能、ダビングに要する時間を短縮する高速ダビング機能などの多彩な機能が利用できる。また、特許文献１には、ネットワークに接続されたダビング元とダビング先との間のダビング処理の例が提案されている。
【特許文献１】特開２００１−１６７５１６号公報
【発明の開示】
【発明が解決しようとする課題】
【０００５】
しかしながら、従来の例にあっては、録画した番組を高速ダビング中に、録画した別の番組を同時に再生して見ることはできるものの、高速ダビングは、録画した番組をファイルとしてダビング元からダビング先へ録画速度より高速で複写処理を行うとともに、必ずしも録画順に複写されないため、高速ダビングをしている番組自身を再生して見ることはできなかった。また、特許文献１のダビング処理であっても、ダビング処理中に停電などの異常が発生してダビング処理が中断した場合に、ネットワークに接続されている機器の制御情報を保存して、処理中断後の復帰処理を容易に実行することができるものの、ダビング処理中の番組を再生して見ることはできなかった。このため、高速ダビングが行われている時に、高速ダビング中の番組のどの部分をダビング中であるかを画像イメージとして確認できることが望まれていた。
【０００６】
本発明は、斯かる事情に鑑みてなされたものであり、高速ダビング中の情報（例えば、録画された番組）の再生指示を受け付け、受け付けた再生指示に基づいて、前記情報を再生することにより、高速ダビング中であっても、高速ダビング中の番組を再生することができる記録再生装置及び記録再生方法を提供することを目的とする。
【０００７】
また、本発明の他の目的は、再生指示に基づいて、高速ダビング中の情報の再生箇所を特定する特定手段を備えることにより、所望の箇所から高速ダビング中の番組を再生することができる記録再生装置を提供することにある。
【０００８】
また、本発明の他の目的は、前記高速ダビング中の情報の最初から再生するようにしてあることにより、高速ダビング中にダビング中の番組を最初から再生することができる記録再生装置を提供することにある。
【０００９】
また、本発明の他の目的は、再生指示を受け付けた時点で前記情報の高速ダビング中の箇所から再生するようにしてあることにより、高速ダビング中にダビング中の番組を、再生指示を受け付けた時点から再生することができる記録再生装置を提供することにある。
【００１０】
また、本発明の他の目的は、前記情報の高速ダビング中の箇所を第１の時間の間隔で第２の時間だけ複数再生することにより、高速ダビング中の番組を所望の時間間隔で所望の時間繰り返し再生することができ、高速ダビングの進捗に合わせて番組の内容を確認することができる記録再生装置を提供することにある。
【００１１】
また、本発明の他の目的は、前記情報の高速ダビング中の箇所を静止画像で出力する手段を備えることにより、簡便に高速ダビング中の番組を確認することができる記録再生装置を提供することにある。
【００１２】
また、本発明の他の目的は、第３の時間の間隔で再生した複数の静止画像を配置した配置画像を出力する手段を備えることにより、高速ダビング中の番組の途中経過を容易に確認することができる記録再生装置を提供することにある。
【課題を解決するための手段】
【００１３】
本発明に係る記録再生装置は、ランダムアクセス可能な一の記録媒体に記録された情報を他の記録媒体へ高速ダビングする手段と、前記一の記録媒体に記録された情報を再生する再生手段とを備える記録再生装置において、高速ダビング中の情報の再生指示を受け付ける受付手段を備え、前記再生手段は、前記受付手段で受け付けた再生指示に基づいて、前記高速ダビング中の情報を再生するようにしてあることを特徴とする。
【００１４】
本発明に係る記録再生装置は、前記再生指示を受け付けた場合、高速ダビング中の情報の再生箇所を特定する特定手段と、特定された再生箇所を含む情報を前記一の記録媒体から読み出す手段とを備え、前記再生手段は、読み出された情報を再生するようにしてあることを特徴とする。
【００１５】
本発明に係る記録再生装置は、前記特定手段は、前記情報の最初を再生箇所として特定するようにしてあることを特徴とする。
【００１６】
本発明に係る記録再生装置は、前記特定手段は、前記再生指示を受け付けた時点で前記情報の高速ダビング中の箇所を再生箇所として特定するようにしてあることを特徴とする。
【００１７】
本発明に係る記録再生装置は、前記再生手段は、第１の時間の経過の都度第２の時間の間に高速ダビングされる情報を繰り返し再生するようにしてあることを特徴とする。
【００１８】
本発明に係る記録再生装置は、前記一の記録媒体に記録された情報を静止画像で出力する手段を備え、前記再生指示に基づいて、静止画像を出力するようにしてあることを特徴とする。
【００１９】
本発明に係る記録再生装置は、第３の時間の間隔で出力した複数の静止画像を配置した配置画像を出力する手段を備えることを特徴とする。
【００２０】
本発明に係る記録再生方法は、ランダムアクセス可能な一の記録媒体に記録された情報を他の記録媒体へ高速ダビング中に前記情報を再生する記録再生方法であって、高速ダビング中の情報の再生指示を受け付けるステップと、該再生指示に基づいて、前記情報を再生するステップとを備えることを特徴とする。
【００２１】
本発明にあっては、情報（例えば、録画された番組）の高速ダビング中に再生指示を受け付けた場合、受け付けた再生指示に基づいて、高速ダビング中の情報を再生する。これにより、情報の高速ダビング中に該情報を再生する。
【００２２】
本発明にあっては、再生指示を受け付けた場合、特定手段は、高速ダビング中の情報の再生箇所を特定し、読み出す手段は、特定された再生箇所を含む情報を前記一の記録媒体から読み出す。再生手段は、読み出された情報を再生する。
【００２３】
本発明にあっては、情報を高速ダビング中に、受付手段で再生指示を受け付けた場合、特定手段は、高速ダビング中の情報の最初（例えば、番組の始まり箇所）を再生箇所として特定する。
【００２４】
本発明にあっては、情報を高速ダビング中に、受付手段で再生指示を受け付けた場合、特定手段は、再生指示を受け付けた時点で前記情報の高速ダビング中の箇所を再生箇所として特定する。
【００２５】
本発明にあっては、前記再生手段は、第１の時間が経過する都度、第２の時間の間に高速ダビングされる情報を繰り返し再生する。すなわち、第２の時間の間に高速ダビングされる情報を再生し、その後第１の時間の間に高速ダビングされる情報は再生せず、前記第１の時間が経過後に、再び第２の時間の間に高速ダビングされる情報を再生する。例えば、第２の時間の間に高速ダビングされる情報を再生した場合の再生時間を、第１の時間と第２の時間の合計時間にすることにより、高速ダビング中の情報の再生開始箇所を再生時点で高速ダビングされている箇所と略同じタイミングにすることができる。
【００２６】
本発明にあっては、情報を高速ダビング中に、受付手段で再生指示を受け付けた場合、前記情報を静止画像で出力する。
【００２７】
本発明にあっては、第３の時間の間隔で出力した複数の静止画像を配置した配置画像を出力する。これにより、所望の時間経過の都度出力（再生）される静止画像を複数配置した配置画像で、高速ダビング中の情報の途中経過を示す。
【発明の効果】
【００２８】
本発明にあっては、情報（例えば、録画された番組）の高速ダビング中に再生指示を受け付けた場合、受け付けた再生指示に基づいて、高速ダビング中の情報を再生することにより、高速ダビングを行いつつ、高速ダビング中の番組を再生することができる。
【００２９】
本発明にあっては、受け付けた再生指示に基づいて、情報の高速ダビング中の所望の箇所を特定して再生することができる。
【００３０】
本発明にあっては、受付手段で受け付けた再生指示に基づいて、高速ダビング中の情報を最初から再生することができ、番組の始まり箇所から高速ダビング中の番組を再生することができる。
【００３１】
本発明にあっては、受付手段で受け付けた再生指示に基づいて、高速ダビング中の情報を、再生指示を受け付けた時点から再生することができ、再生指示を受け付けた時点で高速ダビングしている箇所から高速ダビング中の番組を再生することができる。また、再生された番組内容に基づいて、高速ダビングの要不要を判断して、不要な高速ダビングを停止することも可能になる。
【００３２】
本発明にあっては、所望の時間間隔で高速ダビング中の情報の再生及び再生停止を繰り返すことにより、高速ダビング中の進捗に合わせて番組を再生することができる。
【００３３】
本発明にあっては、高速ダビング中の情報を静止画像で出力する手段を備えることにより、簡便に高速ダビング中の番組を確認することができる。
【００３４】
本発明にあっては、第３の時間経過の時点で高速ダビング中の情報を繰り返し静止画像で出力し、出力された複数の静止画像を配置した配置画像を出力することにより、高速ダビングの途中経過を番組の場面で確認することができるとともに、出力された静止画像の数に応じて、高速ダビングの途中経過時間を確認することができ、簡便な構成で高速タビングの途中経過を容易に確認することができる。
【発明を実施するための最良の形態】
【００３５】
以下、本発明を実施の形態を示す図面に基づいて説明する。図１は本発明に係る記録再生装置１００の構成を示すブロック図である。図において、１はチューナ部である。チューナ部１は、地上アナログ放送の受信回路を備え、受信した信号を検波してアナログ映像信号及びアナログ音声信号を夫々映像ＡＤＣ（Analog to Digital Converter）２、及び音声ＡＤＣ３へ出力する。
【００３６】
また、チューナ部１は、ＢＳデジタル放送、１１０度ＣＳデジタル放送、地上デジタル放送などの受信回路を備え、受信した信号に基づいて、デジタル映像音声信号をエンコーダ４へ出力する。
【００３７】
映像ＡＤＣ２は、チューナ部１から入力されたアナログ映像信号をデジタル映像信号に変換し、変換したデジタル映像信号をエンコーダ４へ出力する。また、音声ＡＤＣ３は、チューナ部１から入力されたアナログ音声信号をデジタル音声信号に変換し、変換したデジタル音声信号をエンコーダ４へ出力する。
【００３８】
エンコーダ４は、映像信号符号化回路、音声信号符号化回路、信号合成回路などを備え、映像ＡＤＣ２又はチューナ部１から入力されたデジタル映像信号をＭＰＥＧ２方式に基づいて符号化するとともに、音声ＡＤＣ３又はチューナ部１から入力されたデジタル音声信号をＭＰＥＧ２ＡＡＣ、ＭＰＥＧ１、ドルビーデジタル（ドルビーは、ドルビーラボラトリーズの登録商標）などの方式に基づいて符号化し、符号化されたデジタル信号を合成してデジタル映像音声ストリームを形成し、形成したストリームをストリーム制御回路５へ出力する。
【００３９】
ストリーム制御回路５は、番組（タイトル）の録画の場合、エンコーダ４から入力されたデジタル映像音声ストリームを一旦ストリームメモリ６に記憶する。ストリーム制御回路５は、後述するＣＰＵ１４の制御の下、ストリームメモリ６に一旦記憶したデジタル映像音声ストリームをＨＤＤインタフェース回路７又はＤＶＤインタフェース回路９へ出力する。
【００４０】
また、ストリーム制御回路５は、番組の録画の場合、デジタル映像音声ストリームを構成する複数のパケットの中から所定のパケットを抽出し、抽出したパケットに基づいて静止画像（例えば、ＪＰＥＧ方式に準拠した形式の画像）を生成し、生成した静止画像を画像メモリ１５に記憶する。画像メモリ１５に記憶された静止画像は、ＣＰＵ１４の制御の下、録画した番組の内容を表示するサムネイルとしてモニタ（不図示）に表示され、いずれの番組を高速ダビング、又は再生するかを選択する際に使用される。
【００４１】
また、ストリーム制御回路５は、記録された番組の再生の場合、ＨＤＤインタフェース回路７又はＤＶＤインタフェース回路９を介して入力されたデジタル映像音声ストリームをストリームメモリ６に一旦記憶する。ストリーム制御回路５は、後述するＣＰＵ１４の制御の下、ストリームメモリ６に一旦記憶したデジタル映像音声ストリームをデコーダ１１へ出力する。
【００４２】
また、ストリーム制御回路５は、例えば、ランダムアクセス可能なＨＤＤ８に記録された番組をＤＶＤディスク（不図示）に高速ダビングする場合、ＨＤＤインタフェース回路７を介して入力されたデジタル映像音声ストリームをストリームメモリ６に一旦記憶し、ＣＰＵ１４の制御の下、ストリームメモリ６に一旦記憶したデジタル映像音声ストリームをＤＶＤインタフェース回路９へ出力する。
【００４３】
ここで、高速ダビングとは、例えば、ランダムアクセス可能なＨＤＤ８に記録された番組を構成するファイルを映像音声信号にデコードすることなく、映像音声ストリームのままＨＤＤ８からＤＶＤディスクに録画された速度より高速で複写させることであり、番組を映像音声で再生する速度よりも高速でファイルの複写を行うことをいう。
【００４４】
また、ストリーム制御回路５は、例えば、ＨＤＤ８に記録された番組をＤＶＤディスクに高速ダビングする場合、ＣＰＵ１４の制御の下、ストリームメモリ６に一旦記憶したデジタル映像音声ストリームを読み出し、読み出したデジタル映像音声ストリームを構成する複数のパケットから所要のタイミングのパケットを抽出し、抽出したパケットに基づいて静止画像を生成し、生成した静止画像を画像メモリ１５に記憶するとともに、モニタへ出力する。
【００４５】
ＨＤＤインタフェース回路７は、番組の録画の場合、ストリーム制御回路５から入力されたデジタル映像音声ストリームを、例えば、ＡＴＡＰＩ（AT Attachment with Packet Interface）などのＨＤＤインタフェース信号（例えば、ＨＤＤ物理フォーマットの信号）に変換し、変換したデータをＨＤＤ８へ書き込む。これにより、番組を録画することができる。
【００４６】
また、ＨＤＤインタフェース回路７は、記録された番組の再生の場合、ＨＤＤ８に記録されたデータを再生した再生信号をデジタル映像音声ストリームに変換し、変換したデジタル映像音声ストリームをストリーム制御回路５へ出力する。
【００４７】
ＤＶＤインタフェース回路９は、番組の録画の場合又はＨＤＤ８に記録された番組をＤＶＤディスクに高速ダビングの場合、ストリーム制御回路５から入力されたデジタル映像音声ストリームを、例えば、ＡＴＡＰＩなどのＤＶＤインタフェース信号（例えば、ＤＶＤ物理フォーマットの信号）に変換し、変換したデータをＤＶＤドライブ１０に装填されたＤＶＤディスク（不図示）へ書き込む。これにより、番組を録画することができ、また、ＨＤＤ８に録画した番組をＤＶＤディスクに高速ダビングすることができる。
【００４８】
また、ＤＶＤインタフェース回路９は、記録された番組の再生の場合、ＤＶＤディスクに記録されたデータを再生した再生信号をデジタル映像音声ストリームに変換し、変換したデジタル映像音声ストリームをストリーム制御回路５へ出力する。
【００４９】
デコーダ１１は、映像信号復号化回路、音声信号復号化回路、信号分離回路などを備え、ストリーム制御回路５から入力されたデジタル映像音声ストリームをデジタル映像信号及びデジタル音声信号に分離し、分離したデジタル映像信号をＭＰＥＧ２方式に基づいて復号化し、復号化したデジタル映像信号を映像ＤＡＣ（Digital to Analog Converter）１２へ出力するとともに、分離したデジタル音声信号をＭＰＥＧ２ＡＡＣ、ＭＰＥＧ１、ドルビーデジタルなどの方式に基づいて復号化し、復号化したデジタル音声信号を音声ＤＡＣ１３へ出力する。
【００５０】
映像ＤＡＣ１２は、デコーダ１１から入力されたデジタル映像信号をアナログ映像信号に変換し、変換したアナログ映像信号をモニタ（不図示）に出力する。また、音声ＤＡＣ１３は、デコーダ１１から入力されたデジタル音声信号をアナログ音声信号に変換し、変換したアナログ音声信号をモニタに出力する。これにより、録画した番組をモニタで再生して見ることができる。
【００５１】
ストリーム制御回路５には、内部バス２１を介して、ＣＰＵ１４、ＲＡＭ１６、ＲＯＭ１７、操作部１８、表示部１９、通信部２０などが接続してある。
【００５２】
操作部１８は、録画する番組の設定ボタン、番組を録画する録画ボタン、録画した番組を高速ダビングするダビングボタン、高速ダビング中の番組を再生するダビング再生ボタン、録画先又はダビング先などを選択する選択ボタン、高速ダビングを停止するダビング停止ボタン、再生を停止する再生停止ボタン、サムネイル表示を指定するサムネイル再生ボタン、再生時間、再生の休止時間及びサムネイルの表示間隔などを設定する時間設定ボタンなどの各操作ボタン（又は操作キー、操作スイッチなど）を備え、各操作ボタンが操作された場合に、操作を示す信号をＣＰＵ１４へ出力する。
【００５３】
通信部２０は、操作部１８と同様の各操作ボタンを備えたリモコン（不図示）からの信号（例えば、赤外線を用いたワイヤレス信号）を受信する受信部を備え、受信した信号をＣＰＵ１４へ出力する。
【００５４】
表示部１９は、液晶表示パネルを備え、操作部１８又はリモコンにおける操作に応じて、録画、高速ダビング、再生などの動作状態を表示する。
【００５５】
ＣＰＵ１４は、ＲＯＭ１７に記憶されたプログラムをＲＡＭ１６にロードして実行することにより、所要の制御処理を行う。ＣＰＵ１４は、記録再生装置１００の全体を制御し、チューナ部１で受信したテレビジョン放送の番組をＨＤＤ８又はＤＶＤディスクに記録する録画処理、ランダムアクセス可能なＨＤＤ８（又はＤＶＤディスク）に録画した番組をＤＶＤディスク（又はＨＤＤ８）に高速に複写する高速ダビング処理、高速ダビング中の番組を再生する再生処理、高速ダビング中の番組の静止画像（サムネイル）を生成するサムネイル生成処理などの制御を行う。
【００５６】
図２は映像音声ストリームのデータ構成を示す模式図である。図に示すように、映像音声ストリームは、複数のパケットで構成され、各パケットは、ヘッダとパケットデータとから構成される。ある番組が映像ストリームと音声ストリームとからなる場合、両者は、夫々固有の識別子を有するパケットを単位として多重化され、映像音声ストリームを構成する。
【００５７】
ヘッダは、上述の識別子、パケット長などの他、タイムスタンプを有する。タイムスタンプには、例えば、ＤＴＳ（Decoding Time Stamp）とＰＴＳ（Presentation Time Stamp）があり、ＤＴＳは復号動作を行う時刻情報であり、ＰＴＳは再生動作を行う時刻情報である。パケットデータは不定長であり、例えば、パケットが映像ストリームである場合、１枚の画像フレーム分の符号化データを格納することができる。
【００５８】
ＨＤＤ８に録画された番組をＤＶＤドライブ１０内のＤＶＤディスクへ高速ダビングする場合、ＣＰＵ１４は、高速ダビング中の番組を構成する映像音声ストリームの各パケットにあるタイムスタンプに基づいて、番組のどの箇所が複写されているかを検知することができる。なお、高速ダビング中の番組の箇所を識別する識別子は、タイムスタンプに限らず、高速ダビング中の箇所を識別することができるものであれば、他の識別子を設ける構成であってもよい。
【００５９】
高速ダビング中に、操作部１８又はリモコンから高速ダビング中の番組の再生を指示する再生指示を受け付けた場合、ＣＰＵ１４は、再生指示を受け付けた時点における高速ダビングの箇所をタイムスタンプで特定し、特定した箇所のパケットから所望の再生時間経過時のタイムスタンプを有するパケットまでを含む映像音声ストリームに対応するファイルをＨＤＤ８（又はストリームメモリ６に記録されている場合は、ストリームメモリ６）から読み出し、読み出した映像音声ストリームをデコーダ１１へ出力する。これにより、再生指示を受け付けた場合、ＣＰＵ１４の制御の下、ダビング元の記録媒体は、二重の再生処理を行い、一方の再生処理で高速ダビングを継続し、他方の再生処理でモニタに映像・音声を出力するための処理を行い、高速ダビング中の番組を再生することができる。
【００６０】
同様に、高速ダビング中に、操作部１８又はリモコンから高速ダビング中の番組のサムネイル再生（例えば、サムネイルを所定の時間間隔で表示するような場合）を指示する再生指示を受け付けた場合、再生指示を受け付けた時点における高速ダビングの箇所をタイムスタンプで特定し、特定した箇所パケットに基づいてストリーム制御回路５で静止画像を生成し、生成した静止画像を画像メモリ１５に記憶するとともに、モニタへ出力することにより、モニタでサムネイルを表示させることができる。
【００６１】
ＣＰＵ１４は、サムネイルの表示時間間隔（後述のインタバル時間）が経過した時点で、その時点における高速ダビングの箇所をタイムスタンプで特定し、特定した箇所のパケットに基づいてストリーム制御回路５で静止画像を生成し、生成した静止画像を画像メモリ１５に記憶するとともに、モニタへ出力することにより、所望の表示時間間隔でサムネイルを随時表示させることができ、ユーザはサムネイルを見ることにより、高速ダビング途中の番組の場面を確認することができるとともに、表示されたサムネイルの数により高速ダビングの経過時間を確認することができる。
【００６２】
次に本発明の記録再生装置１００の動作及び記録再生方法について説明する。記録再生装置１００の動作及び記録再生方法には、高速ダビング中の番組を映像音声で再生する場合、及びサムネイルで再生する場合がある。なお、高速ダビング元はＨＤＤ８、高速ダビング先はＤＶＤディスクとして説明する。図３及び図４は映像音声で再生する場合の記録再生装置１００の処理手順を示すフローチャートである。
【００６３】
ＣＰＵ１４は、操作部１８又はリモコンから高速ダビングを行う番組を受け付ける（Ｓ１０）。ＣＰＵ１４は、操作部１８又はリモコンから高速ダビング要求の有無を判定し（Ｓ１１）、高速ダビングの要求がない場合（Ｓ１１でＮＯ）、ステップＳ１１の処理を続ける。
【００６４】
高速ダビングの要求がある場合（Ｓ１１でＹＥＳ）、ＣＰＵ１４は、ＨＤＤインタフェース回路７を介して番組を構成するファイルをＨＤＤ８から読み出し、読み出したファイルをストリーム制御回路、ＤＶＤインタフェース回路９を介してＤＶＤディスクへ複写する（Ｓ１２）。
【００６５】
ＣＰＵ１４は、操作部１８又はリモコンから再生指示を示す再生要求の有無を判定し（Ｓ１３）、再生要求がある場合（Ｓ１３でＹＥＳ）、再生要求があった時点における高速ダビング中の映像音声ストリームを構成するパケットのタイムスタンプに基づいて、再生開始位置を特定する（Ｓ１４）。
【００６６】
ＣＰＵ１４は、特定した再生開始位置を含むファイルを映像音声ストリームとしてＨＤＤ８から読み出し、読み出した映像音声ストリームをデコーダ１１でデコードし（Ｓ１５）、映像ＤＡＣ１２、音声ＤＡＣ１３を介して復号化された映像音声信号をモニタへ出力する（Ｓ１６）。これにより、高速ダビング中の番組を再生する。
【００６７】
ＣＰＵ１４は、映像音声ストリームの再生時間（再生される映像音声ストリームの高速ダビングに要する時間）を計時し（Ｓ１７）、再生時間が閾値ｔ１（例えば、１０秒）より長いか否かを判定する（Ｓ１８）。再生時間が閾値ｔ１（第２の時間）より長くない場合（Ｓ１８でＮＯ）、ＣＰＵ１４は、ステップＳ１５以降の処理を続ける。再生時間が閾値ｔ１より長い場合（Ｓ１８でＹＥＳ）、ＣＰＵ１４は、映像音声ストリームの再生を休止し（Ｓ１９）、休止時間（再生されない映像音声ストリームの高速ダビングに要する時間）を計時する（Ｓ２０）。
【００６８】
ＣＰＵ１４は、映像音声ストリームの再生を休止する休止時間が閾値ｔ２（例えば、５分）より長いか否かを判定する（Ｓ２１）。休止時間が閾値ｔ２（第１の時間）より長くない場合（Ｓ２１でＮＯ）、ＣＰＵ１４は、ステップＳ２０以降の処理を続ける。休止時間が閾値ｔ２より長い場合（Ｓ２１でＹＥＳ）、ＣＰＵ１４は、操作部１８又はリモコンから複写停止指示を示す複写停止要求の有無を判定する（Ｓ２２）。
【００６９】
複写停止要求がない場合（Ｓ２２でＮＯ）、ＣＰＵ１４は、再生終了を指示する再生終了要求の有無を判定し（Ｓ２３）、再生終了要求がない場合（Ｓ２３でＮＯ）、ステップＳ１４以降の処理を続ける。再生終了要求がある場合（Ｓ２３でＹＥＳ）、ＣＰＵ１４は、高速ダビング処理が終了したか否かを判定し（Ｓ２５）、高速ダビングが終了していない場合（Ｓ２５でＮＯ）、ステップＳ１２以降の処理を続ける。高速ダビングが終了した場合（Ｓ２５でＹＥＳ）、ＣＰＵ１４は処理を終了する。
【００７０】
複写停止要求がある場合（Ｓ２２でＹＥＳ）、ＣＰＵ１４は、ファイルの複写を停止し（Ｓ２４）、ステップＳ２３以降の処理を続ける。一方、ステップＳ１３で、再生要求がない場合（Ｓ１３でＮＯ）、ＣＰＵ１４は、ステップＳ２５以降の処理を続ける。
【００７１】
図５は高速ダビング及び再生処理のタイムチャートである。図中上段は、高速ダビング処理の時間経過を示し、下段は再生処理の時間経過を示す。図に示すように、高速ダビング中に再生要求を受け付けた場合、再生要求受付時点における高速ダビング中の箇所から所望の時間ｔ１（例えば、１０秒間）の間に高速ダビングされる映像音声ストリームの再生を行う。時間ｔ１が経過した時点で再生処理を休止し、高速ダビングの時間が所望の休止時間ｔ２（例えば、５分間）が経過した時点における高速ダビング中の箇所から再度再生を行う。以降同様の処理を続ける。これにより、高速ダビング中の途中経過を所望の箇所から確認することができる。
【００７２】
時間ｔ１及びｔ２を調整して、時間ｔ１の間に高速ダビングされる番組を再生したときの再生時間が、時間ｔ１と時間ｔ２との合計時間になるようにした場合、番組の再生開始箇所と、再生開始時点で高速ダビング中の箇所とを略同じ箇所に合わせることができ、高速ダビング中の進捗に合わせて番組の再生をすることができ、高速ダビングの進捗状況を容易に確認することができる。
【００７３】
次にサムネイルで再生する場合について説明する。なお、上述の例と同様に、高速ダビング元はＨＤＤ８、高速ダビング先はＤＶＤディスクとして説明する。図６はサムネイルで再生する場合の記録再生装置１００の処理手順を示すフローチャートである。
【００７４】
ＣＰＵ１４は、操作部１８又はリモコンから高速ダビングを行う番組を受け付ける（Ｓ３０）。ＣＰＵ１４は、操作部１８又はリモコンから高速ダビング要求の有無を判定し（Ｓ３１）、高速ダビングの要求がない場合（Ｓ３１でＮＯ）、ステップＳ３１の処理を続ける。
【００７５】
高速ダビングの要求がある場合（Ｓ３１でＹＥＳ）、ＣＰＵ１４は、ＨＤＤインタフェース回路７を介して番組を構成するファイルをＨＤＤ８から読み出し、読み出したファイルをストリーム制御回路、ＤＶＤインタフェース回路９を介してＤＶＤディスクへ複写する（Ｓ３２）。
【００７６】
ＣＰＵ１４は、操作部１８又はリモコンからサムネイルによる再生指示を示す再生要求の有無を判定し（Ｓ３３）、再生要求がある場合（Ｓ３３でＹＥＳ）、再生要求があった時点における高速ダビング中の映像音声ストリームを構成するパケットのタイムスタンプに基づいて、再生開始位置を特定する（Ｓ３４）。
【００７７】
ＣＰＵ１４は、特定した再生開始位置を含むファイルから静止画像（サムネイル）を生成し（Ｓ３５）、生成した静止画像をモニタへ出力する（Ｓ３６）。これにより、高速ダビング中の番組をサムネイルで再生する。
【００７８】
ＣＰＵ１４は、サムネイルの出力間隔であるインタバル時間を計時し（Ｓ３７）、インタバル時間が閾値ｔ３（例えば、５分）より長いか否かを判定する（Ｓ３８）。インタバル時間が閾値ｔ３（第３の時間）より長くない場合（Ｓ３８でＮＯ）、ＣＰＵ１４は、ステップＳ３７以降の処理を続ける。インタバル時間が閾値ｔ３より長い場合（Ｓ３８でＹＥＳ）、ＣＰＵ１４は、操作部１８又はリモコンから複写停止指示を示す複写停止要求の有無を判定する（Ｓ３９）。
【００７９】
複写停止要求がない場合（Ｓ３９でＮＯ）、ＣＰＵ１４は、再生終了を指示する再生終了要求の有無を判定し（Ｓ４０）、再生終了要求がない場合（Ｓ４０でＮＯ）、ステップＳ３４以降の処理を続ける。再生終了要求がある場合（Ｓ４０でＹＥＳ）、ＣＰＵ１４は、高速ダビング処理が終了したか否かを判定し（Ｓ４２）、高速ダビング終了が要求していない場合（Ｓ４２でＮＯ）、ステップＳ３２以降の処理を続ける。高速ダビングが終了した場合（Ｓ４２でＹＥＳ）、ＣＰＵ１４は処理を終了する。
【００８０】
複写停止要求がある場合（Ｓ３９でＹＥＳ）、ＣＰＵ１４は、ファイルの複写を停止し（Ｓ４１）、ステップＳ４０以降の処理を続ける。一方、ステップＳ３３で、再生要求がない場合（Ｓ３３でＮＯ）、ＣＰＵ１４は、ステップＳ４２以降の処理を続ける。
【００８１】
図７はサムネイルで再生する場合の高速ダビング及び再生処理のタイムチャートである。図中上段は、高速ダビング処理の時間経過を示し、下段は再生処理の時間経過を示す。図に示すように、高速ダビング中にサムネイル再生の再生要求を受け付けた場合、再生要求受付時点における高速ダビング中の箇所からサムネイルＳ１を生成し、生成したサムネイルＳ１をモニタで表示する。サムネイルＳ１を生成した時点（又は表示した時点でもよい）から時間を計時し、所望のインタバル時間ｔ３（例えば、５分間）を経過した時点で再び、その時点における高速ダビング中の箇所からサムネイルＳ２を生成し、生成したサムネイルＳ２を、先に表示したサムネイルＳ１の隣に表示する。以下、同様の処理を繰り返す。これにより、高速ダビングの途中経過を番組の一場面（サムネイル）で確認することができるとともに、モニタに連続して表示されたサムネイルの数に応じて、高速ダビングの途中経過時間を確認することができ、簡便な構成で高速タビングの途中経過を容易に確認することができる。
【００８２】
図８はサムネイルを複数配置した配置画像の例を示す説明図である。図に示すように、再生要求受付時点（例えば、時刻ｔ０）における高速ダビング中の箇所から生成されたサムネイルＳ１が、モニタ画面の所定の位置に表示される。時間ｔ３が経過した時点で、サムネイルＳ１の隣にサムネイルＳ２が表示される。さらに、時間ｔ３が経過した時点で、サムネイルＳ１、Ｓ２の隣にサムネイルＳ３が表示される。これにより、モニタに連続して表示されたサムネイルの数に応じて、高速ダビングの途中経過時間を確認することができるとともに、高速ダビング中の番組を一場面（シーン）として確認することもできる。
【００８３】
上述の例では、再生要求受付時点における高速ダビング中の箇所から再生を開始するものであったが、これに限定されるものではなく、番組の高速ダビング中に再生要求を受け付けた場合、番組の始まりから再生するようにしてもよい。
【００８４】
図９は番組の始まりから再生する場合の高速ダビング及び再生処理のタイムチャートである。図に示すように、高速ダビング中に再生要求を受け付けた場合、番組の始まり（先頭）から所望の時間ｔ１（例えば、１０秒間）の間に高速ダビングされる映像音声ストリームの再生を行う。時間ｔ１が経過した時点で再生処理を休止し、所望の休止時間ｔ２（例えば、５分間）が経過した時点で、その時点の番組内容を再生する。以降同様の処理を続ける。これにより、高速ダビング中に、高速ダビングしている番組の始まりから番組の内容を素早く確認することができる。
【００８５】
上述の例では、高速ダビング中の映像音声ストリームに対して、再生する部分と再生を休止する部分を繰り返し処理するものであったが、これに限定されるものではなく、再生要求を受け付けた時点から映像音声ストリームを連続して再生するようにしてもよい。
【００８６】
図１０及び図１１は映像音声ストリームを連続再生する場合の高速ダビング及び再生処理のタイムチャートである。図１０に示すように、高速ダビング中に再生要求を受け付けた場合、再生要求受付時点における高速ダビング中の箇所から連続して再生する。また、図１１に示すように、高速ダビング中に再生要求を受け付けた場合、番組の始まり（先頭）から連続再生することもできる。これにより、ユーザは、高速ダビング中に所望の箇所から番組を連続して鑑賞することができる。
【００８７】
上述の例では、再生要求受付時点における高速ダビング中の箇所からサムネイルを所望のインタバル時間間隔で生成して表示するものであったが、これに限定されるものではなく、高速ダビング中の番組の始まりから、所望のインタバル時間間隔でサムネイルを生成して表示するものであってもよい。
【００８８】
以上説明したように、本発明にあっては、ダビング元であるＨＤＤ８からダビング先であるＤＶＤディスクに番組（タイトル、チャプタ、複数のタイトルなど）を高速ダビング中に、高速ダビングをしている番組の再生指示を受け付けることにより、高速ダビング中の所望の箇所から所望の再生時間及び再生休止時間で繰り返し番組の内容を再生することができるため、高速ダビングの途中経過を確認することができ、ユーザの利便性を大幅に向上することができる。また、高速ダビング中に番組の内容を再生できるため、番組の途中で、ダビングの要不要を判定することもでき、不要なダビングを行う必要がなくなり、さらにユーザの利便性が向上する。
【００８９】
また、所望の時間間隔で高速ダビング中の番組をサムネイルで表示することにより、番組のどのシーンまでダビングが完了しているか容易に確認することができる。また、モニタで他の番組を見ている場合であっても、他の番組の視聴の邪魔にならずに高速ダビングの進行状況を容易に確認することができる。
【００９０】
上述の実施の形態においては、記録再生装置１００は、ＨＤＤとＤＶＤドライブとを備える構成であったが、これに限定されるものではなく、ＢＤ（ブルーレイディスク）、ＨＤ−ＤＶＤなどを備えるものであってもよい。また、高速ダビングのダビング元は、ランダムアクセス可能なメディアであれば、記録再生装置に設けられたいずれのメディアであってもよく、また、ダビング先もいずれのメディアであってもよい。例えば、ＨＤＤ、ＢＤ、ＤＶＤ、ＨＤ−ＤＶＤの間で相互に高速ダビングすることも可能である。
【００９１】
上述の実施の形態においては、再生時間、休止時間、及びインタバル時間は一例であって、これに限定されるものではなく、ユーザの要望に応じて随時設定可能にすることができる。
【００９２】
上述の実施の形態においては、サムネイル再生を指示する再生指示を受け付ける構成であったが、これに限定されるものではなく、番組の再生を指示する再生指示の一形態として、サムネイル表示させるようにしてもよい。
【図面の簡単な説明】
【００９３】
【図１】本発明に係る記録再生装置の構成を示すブロック図である。
【図２】映像音声ストリームのデータ構成を示す模式図である。
【図３】映像音声で再生する場合の記録再生装置の処理手順を示すフローチャートである。
【図４】映像音声で再生する場合の記録再生装置の処理手順を示すフローチャートである。
【図５】高速ダビング及び再生処理のタイムチャートである。
【図６】サムネイルで再生する場合の記録再生装置の処理手順を示すフローチャートである。
【図７】サムネイルで再生する場合の高速ダビング及び再生処理のタイムチャートである。
【図８】サムネイルを複数配置した配置画像の例を示す説明図である。
【図９】番組の始まりから再生する場合の高速ダビング及び再生処理のタイムチャートである。
【図１０】映像音声ストリームを連続再生する場合の高速ダビング及び再生処理のタイムチャートである。
【図１１】映像音声ストリームを連続再生する場合の高速ダビング及び再生処理のタイムチャートである。
【符号の説明】
【００９４】
１  チューナ部
２  映像ＡＤＣ
３  音声ＡＤＣ
４  エンコーダ
５  ストリーム制御回路
６  ストリームメモリ
７  ＨＤＤインタフェース回路
８  ＨＤＤ
９  ＤＶＤインタフェース回路
１０  ＤＶＤドライブ
１１  デコーダ
１２  映像ＤＡＣ
１３  音声ＤＡＣ
１４  ＣＰＵ
１５  画像メモリ
１６  ＲＡＭ
１７  ＲＯＭ
１８  操作部
【図１】
2007018599.tif 000003
【図２】
2007018599.tif 000004
【図３】
2007018599.tif 000005
【図４】
2007018599.tif 000006
【図５】
2007018599.tif 000007
【図６】
2007018599.tif 000008
【図７】
2007018599.tif 000009
【図８】
2007018599.tif 000010
【図９】
2007018599.tif 000011
【図１０】
2007018599.tif 000012
【図１１】
2007018599.tif 000013